(57)【要約】【課題】ビニールハウスの温度制御が開閉装置によって自動で巻き取り、巻き戻しが無人できる開閉装置を提供する【解決手段】モーターB１はウオームギアーB2を介して、開閉するビニールを巻きつけた巻き取りパイプ（シャフト）C１に連結されている。ウオームギアーを介することにより本装置は自己保持され、電源の供給が閉ざされた時点で制動がかかり、再度電源を供給しない限り制動されたままである。駆動中、本体自体が回転しないよう回り止めパイプC2に本体内の樹脂ローラーB3を介し保持、案内されており、本装置はこのパイプに沿って上昇、下降する。このパイプには上下一対のフランジC3が任意場所に固定されており、上昇限、下降限を検出し、本体内に設置された２個のリミットスイッチB4を蹴り、各々上死点、下死点で停止する。【選択図】    図２
2004313200.tif 000002
【特許請求の範囲】
【請求項１】
設定された温度や降雨時、強風時又は任意時間にビニールハウスの天幕、側幕を自動で開閉するビニール巻き取り巻き戻し装置。
【請求項２】
外箱と前記外箱に取り付けた装置駆動モーターと巻き上げ用巻き取りパイプ(シャフト)とガイドレールからなるビニール巻き取り巻き戻し装置においてモーターと巻き上げ用ビニール巻き取りパイプ(シャフト)の連結に高減速、高増力性を有するウオーム減速機を用いたことで、自己保持機能及び、直行回転方向変換をさせる能持を持たせたせたことを特徴とするビニール巻き取り巻き戻し装置。
【請求項３】
外箱と前期外箱に取り付けた装置駆動モーターと巻き上げ用巻き取りパイプ(シャフト)と回り止めパイプと装置自走モーターからなるビニール巻き取り巻き戻し装置において、装置本体の上昇、下降用自走装置を使用せず樹脂ローラーを使用したことにより頑固な上下案内ガイドレールを必要とせず、回り止めパイプのみでビニールを巻き付けたシャフトの変位に追従し、ビニール及び被回転シャフトに影響させる外力を与えない構造を特徴とするビニール巻き取り巻き戻し装置。
【発明の詳細な説明】
【技術分野】
【０００１】
本発明は、ビニールハウスの換気を行うために使用されるビニール等のシートを展張した温室たるビニールハウスにおいて、ビニールハウスの側面又は谷面、屋根面のシートの一部を巻き取り、又は巻き戻すことによりビニールハウス内の換気を行なう換気装置又はビニールハウス内に水平又はほぼ水平に配設したカーテン面のシートの一部を巻き取り、又は巻き戻すことによりビニールハウス内の室温調整を行うのに適するシートの巻き取り、巻き戻し装置に関する。
【背景技術】
【０００２】
近年作物の施設栽培が盛んになってきた。中でもビニールハウスは簡易で安価なため施設栽培の主流である。
ハウス内の温度調節は換気扇を用いたりビニールハウスの周囲を開閉しハウス内の温度を適当にたもっている。開閉作業のほとんどは人力にておこなわれている。近年では自動で巻き上げ、巻き下げをする装置も開発されている。
【特許文献１】特開２０００−１２５６７３号公報
【特許文献２】特開平１０−２７１９１７号公報
【発明の開示】
【発明が解決しようとする課題】
【０００３】
上記の巻き上げ装置は、巻き取り装置が電源不供給時に降下したり巻き取り部に負荷がかかり抵抗が大きくなりモーター部が発熱し火災を起こす可能性がある。
また駆動装置を有するため巻き取り時、巻き太りにより巻き取り速度と駆動速度に差が生じる。
【０００４】
そこで、本発明の目的は、巻き取り装置は巻き取りまたは巻き戻し作業を完了し停止場所で停止するとウオームギアーを有することにより自己保持されること。また巻き取り部になんらかの原因で必要以上の負荷がかかった際にはリレーが働き電源供給がストップすること、また駆動輪を有せず巻き取りのみで上下するためガイドパイプも頑固な固定をする必要もなく安易に設置でき操作性がよく経済性にすぐれたビニール巻き取り巻き戻し装置を提供することである。
【課題を解決するための手段】
【０００５】
上記の目的を達成するため本発明は、制御器Aより設定された温度域や、降雨、風を感知しビニールハウスの各所に設置された本装置のモーターB１に電源が供給される。モーターはウオームギアーB2を介して、開閉するビニールを巻きつけた巻き取りパイプ（シャフト）C１に連結されている。
ウオームギアーを介することにより本装置は自己保持され、電源の供給が閉ざされた時点で制動がかかり、再度電源を供給しない限り制動されたままである。
諸条件により出力された信号により、モーターが回転しビニールは巻き取り、巻き戻しされる。
駆動中、本体自体が回転しないよう回り止めパイプC2に本体内の樹脂ローラーB3を介し保持、案内されており、本装置はこのパイプに沿って上昇、下降する。
本発明は精密な案内装置ガイドレールを必要とせず、むしろビニールを巻き付けた巻き取りパイプ（シャフト）の変位に追従し、ビニール及び非回転シャフトに影響させる外力を与えない構造である。
又、この回り止めパイプには上下一対のフランジC3が任意場所に固定されており、上昇限、下降限を検出し、本体内に設置された２個のリミットスイッチB4を蹴り、各々上死点、下死点で停止する。
【発明の効果】
【０００６】
本発明によれば、次の効果がある。
本発明は以上のように構成したので、ビニールシートの巻上げ幅の自由度が高く、また巻上げ幅の調整を容易かつ正確に無人で行うことができるという優れた効果がある。
【０００７】
ウオームを有し小型且つ軽量ながらも高減速比を得ているので十分にビニールのみで懸架できるため本体装置を走行させる目的の駆動装置を有する必要がない。
【０００８】
駆動装置を有すると巻き取り時、巻き太りにより巻き取り速度と駆動速度に差が生じる。本発明は駆動装置を有せず巻き取りのみで上下するためガイドパイプも頑固な固定をする必要もなく安易に設置でき組付性、経済性にすぐれている。
【発明を実施するための最良の形態】
【０００９】
以下本発明の実施の形態を図にもとづいて説明する。
図１は換気装置、シート巻き上げ巻き下げ装置として利用された本発明の一実施の形態を示す。
【実施例１】
【００１０】
制御盤に接続された、温度感知装置、降雨感知装置、風速感知器等で設定された条件に基づき、シーケンサーよりビニールカーテンの開信号が出力され、図２開閉モーターＢ１のカーテン開方向側の電源に供給される。モーターはウオームギアーB2を介して、開閉するビニールを巻きつけた図４巻き取りパイプ（シャフト）C１を連結されており、ビニールカーテンを回転させ巻き上げる。又、上部に水平設置された本装置ではビニールが巻かれている巻き取りパイプ（シャフト）が車輪の如く駆動しながら走行する。
【００１１】
従来技術は減速装置に一般的は平歯車を数枚内蔵して、減速、増力を計っている。この事により歯車等の部品点数が多くなる他、制動能力が無く、ブレーキ付きモーター等を使用しなくてはならず、装置の複雑化を余儀なくされている。
本発明ウオームギアー構造では、ウオームギアーとピニオンギアーの内蔵のみで良く、高減速比を得られる他、モーター側からの回転のみ伝達され、被回転軸からの逆転は制動され外部にブレーキ装置等を搭載する必要が無く、装置自体が小型、軽量になる。
よって、開閉回転軸をウオームギアーを介することにより本装置は電源が供給されていない時は本ウオームギアーで自己保持し、電源の供給が閉ざされた時点で制動を駈け再度電源を供給しモーター側から回転させない限り、巻き取りパイプ（シャフト）側からの回転力や本装置の自重による落下等が無い構造である。
【００１２】
本発明は駆動時、本体自体が回転しないよう回り止めパイプ図２C2に本体内の樹脂ローラーB3を介し保持、案内されており、本装置はこのパイプに沿って巻き取りパイプ（シャフト）を回転させながら上昇、下降する。
又、このパイプには装置外側に上下一対のフランジC3が任意場所に固定されており上昇限、下降限を検出し、このフランジが本体内に設置された２個のリミットスイッチB4を蹴り、制御盤出力され装置は回転を止め、各々上死点、下死点で停止する。
【図面の簡単な説明】
【００１３】
【図１】本発明品の一実施の形態に係るシートの巻き取り巻き戻し装置をビニールハウスの側面、上部面谷換気部に設置した斜視図である。
【図２】本発明品の機機構図  正面である。
【図３】本発明品の機機構図  側面である。
【図４】本発明品の機機構図  平面である。
【図５】従来の装置をビニールハウスの側面と谷換気部に設置した斜視図である。
【符号の説明】
【００１４】
Ａ    制御器
Ｂ１  モーター
Ｂ２  ウオームギアー
Ｂ３  樹脂ローラー
Ｂ４  リミットスイッチ
Ｃ１  ビニールを巻き取りパイプ（シャフト）
Ｃ２  回り止めパイプ
Ｃ３  フランジ
【図１】
2004313200.tif 000003
【図２】
2004313200.tif 000004
【図３】
2004313200.tif 000005
【図４】
2004313200.tif 000006
【図５】
2004313200.tif 000007